(57)【要約】【課題】本発明は、映像表示装置に関するもので、記憶容量を小さくすることを目的とするものである。【解決手段】そしてこの目的を達成するために本発明は、本体ケース１と、この本体ケース１に設けられた入力端子と、この入力端子に接続された入力信号部４と、この入力信号部４に接続された制御部３と、この制御部３に接続された表示部２とを備え、前記制御部３には、前記表示部２におけるホワイトバランスを設定するホワイトバランスデータを記録した記録部６を接続し、この記録部６は、前記入力信号部４から制御部３に入力されるＧの入力レベルに対応するＧの出力レベルを設定した第１のテーブル８と、前記入力信号部４から制御部３に入力されるＲとＢの入力レベルを、第１のテーブル８のＧの入力レベルに対応させた時に得られるＧの出力レベルを基に、ＲとＢの出力レベルを設定した第２のテーブル９とを有する構成とした。【選択図】図２
2011043539.tif 000002
【特許請求の範囲】
【請求項１】
本体ケースと、この本体ケースに設けられた入力端子と、この入力端子に接続された入力信号部と、この入力信号部に接続された制御部と、この制御部に接続された表示部とを備え、
前記制御部には、前記表示部におけるホワイトバランスを設定するホワイトバランスデータを記録した記録部を接続し、この記録部は、前記入力信号部から制御部に入力されるＧの入力レベルに対応するＧの出力レベルを設定した第１のテーブルと、前記入力信号部から制御部に入力されるＲとＢの入力レベルを、第１のテーブルのＧの入力レベルに対応させた時に得られるＧの出力レベルを基に、ＲとＢの出力レベルを設定した第２のテーブルとを有する構成とした映像表示装置。
【請求項２】
制御部には計算部を接続し、この計算部は、第１のテーブルにおけるＧの出力レベルが第２のテーブルに非存在時に、第２のテーブルに存在するＧの出力レベルから、第１のテーブルにおけるＧの出力レベルを算出し、その算出値に基づき、この第２のテーブルのＲおよびＢの出力レベルを算出させる構成とした請求項１に記載の映像表示装置。
【請求項３】
制御部には設定部を接続し、この設定部は、表示部に対するホワイトバランスとガンマを設定する構成とした請求項１または２に記載の映像表示装置。
【発明の詳細な説明】
【技術分野】
【０００１】
本発明は、例えば医療用に用いられる映像表示装置に関するものである。
【背景技術】
【０００２】
従来の医療用に用いられる映像表示装置の構成は、以下のような構成となっていた。
【０００３】
すなわち、本体ケースと、この本体ケースに設けられた入力端子と、この入力端子に接続された入力信号部と、この入力信号部に接続された制御部と、この制御部に接続された表示部とを備え、前記制御部には、前記表示部におけるホワイトバランスを設定するホワイトバランスデータを記録した記録部を接続し、この記録部は、前記入力信号部から制御部に入力されるＲ、Ｇ、Ｂ、それぞれの入力レベルに対応するＲ、Ｇ、Ｂの出力レベルを設定したテーブルを備えた構成となっていた（例えば下記特許文献１）。
【先行技術文献】
【特許文献】
【０００４】
【特許文献１】特開２００６−２５８８５０号公報
【発明の概要】
【発明が解決しようとする課題】
【０００５】
上記従来例における課題は、記録部における記憶容量が極めて大きくなるということであった。
【０００６】
すなわち、例えば、医療用の映像表示装置は、複数存在する映像表示装置毎のホワイトバランスが一定であること、また、個別の映像表示装置のホワイトバランスが経時変化しないこと、が求められるので、前記記録部には、Ｒ、Ｇ、Ｂ、それぞれに極めて多くのテーブルが設けられ、その結果として、記憶容量が極めて大きくなるのであった。
【０００７】
そこで本発明は、記憶容量を小さくすることを目的とするものである。
【課題を解決するための手段】
【０００８】
そして、この目的を達成するために本発明は、本体ケースと、この本体ケースに設けられた入力端子と、この入力端子に接続された入力信号部と、この入力信号部に接続された制御部と、この制御部に接続された表示部とを備え、前記制御部には、前記表示部におけるホワイトバランスを設定するホワイトバランスデータを記録した記録部を接続し、この記録部は、前記入力信号部から制御部に入力されるＧの入力レベルに対応するＧの出力レベルを設定した第１のテーブルと、前記入力信号部から制御部に入力されるＲとＢの入力レベルを、第１のテーブルのＧの入力レベルに対応させた時に得られるＧの出力レベルを基に、ＲとＢの出力レベルを設定した第２のテーブルとを有する構成とし、これにより所期の目的を達成するものである。
【発明の効果】
【０００９】
以上のように本発明は、本体ケースと、この本体ケースに設けられた入力端子と、この入力端子に接続された入力信号部と、この入力信号部に接続された制御部と、この制御部に接続された表示部とを備え、前記制御部には、前記表示部におけるホワイトバランスを設定するホワイトバランスデータを記録した記録部を接続し、この記録部は、前記入力信号部から制御部に入力されるＧの入力レベルに対応するＧの出力レベルを設定した第１のテーブルと、前記入力信号部から制御部に入力されるＲとＢの入力レベルを、第１のテーブルのＧの入力レベルに対応させた時に得られるＧの出力レベルを基に、ＲとＢの出力レベルを設定した第２のテーブルとを有する構成としたものであるので、記憶容量を小さくすることができる。
【００１０】
すなわち、本発明においては、前記記録部には、前記入力信号部から制御部に入力されるＧの入力レベルに対応するＧの出力レベルを設定した第１のテーブルと、前記入力信号部から制御部に入力されるＲとＢの入力レベルを、第１のテーブルのＧの入力レベルに対応させた時に得られるＧの出力レベルを基に、ＲとＢの出力レベルを設定した第２のテーブルとを有する構成としたものであるので、従来のごとく、Ｒ、Ｇ、Ｂ、それぞれにきめ細かいテーブルを多く準備していた物に比べ、その記憶容量を極めて小さくすることができるものである。
【図面の簡単な説明】
【００１１】
【図１】本発明の一実施形態を示す斜視図
【図２】同制御ブロック図
【図３】同ホワイトバランスを示す図
【図４】同ガンマ特性を示す図
【図５】同記録部の第１のテーブルを示す図
【図６】同記録部の第２のテーブルを示す図
【図７】同記録部の第１のテーブルを示す図
【図８】同記録部の第２のテーブルを示す図
【発明を実施するための形態】
【００１２】
以下、本発明の一実施形態を添付図面を用いて説明する。
【００１３】
図１において、１は本体ケースで、この本体ケース１の前面には、表示部２が設けられている。本体ケース１内で、表示部２の背面側には、図２に示す制御部３が設けられ、この制御部３には、入力信号部４、設定部５、記録部６、計算部７が接続されている。
【００１４】
入力信号部４は、本体ケース１の入力端子（図示せず）から入力された入力信号を、この図２に示すごとく、Ｒｉ、Ｇｉ、Ｂｉ、ごとに制御部３に入力するものである。
【００１５】
設定部５は、表示部２におけるホワイトバランスとガンマを設定するためのものである。すなわち、図３は、表示部２におけるホワイトバランスを示した物で、（ａ）はＲの入力レベルと輝度の関係、（ｂ）はＧの入力レベルと輝度の関係、（ｃ）はＢの入力レベルと輝度の関係を示し、これらのトータルとして（ｄ）のホワイトバランスが設定される。
【００１６】
図４は、ガンマ特性を説明するためのもので、例えば、一般的に（ａ）のごとく入力レベルが大きくなるに従って、輝度の変化レベルが小さくなる特性を持っている入力信号に対し、図（ｂ）、（ｃ）、（ｄ）に示すごとく、制御部３は、Ｒ、Ｇ、Ｂの入力特性を（ａ）の特性を相殺する特性にし、それによって、図（ｅ）に示すごとく入力レベルと輝度の関係が比例関係の特性になるように制御する。
【００１７】
以上のようなホワイトバランスとガンマの設定は、使用者が映像表示装置に表示させたい映像に応じて設定されるものである。
【００１８】
さて、図５は、記録部６に記録された第１のテーブル８を示し、図６は、この記録部６に記録された第２のテーブル９を示す。
【００１９】
図５について説明すると、この第１のテーブル８は、前記入力信号部４から制御部３に入力されるＧの入力レベルに対応するＧの出力レベルを設定したものである。また、図６に示す第２のテーブル９は、第１のテーブルのＧの入力レベルに対応させた時に得られるＧの出力レベルを基に、ＲとＢの出力レベルを設定したものである。
【００２０】
この第１のテーブル８は、設定されるホワイトバランスの種類とガンマの種類の組み合わせの数で設けられ、第２のテーブル９は、設定されるホワイトバランスの種類の数において設けられる。例えば、ホワイトバランスが、ＷＡＲＭ、ＮＯＲＭＡＬ、ＣＯＯＬの3種類で、ガンマが6種類の場合には、第１のテーブル８は計１８テーブル設けられ、第２のテーブル９は3テーブル設けられることになる。
【００２１】
これら第１のテーブル８と第２のテーブル９を用いて、上述したように設定されたガンマとホワイトバランスにおいて表示部２に映像が表示される。
【００２２】
具体的には、例えば入力信号部４から制御部３に、入力されるＧの入力レベルが３の場合は、図７に示す第１のテーブル８において、入力レベルが３に対するＧの出力レベルＧｏは８となっているので、制御部３から表示部２には、Ｇｏとして８が出力される。
【００２３】
次に、入力されるＲの入力レベルが３の場合には、第１のテーブル８において、入力レベルが３に対するＧの出力レベルＧｏは８となっているので、このＧｏの出力レベルの８から、図８の第２のテーブル９を用いて、Ｒｏを４として求め、これを制御部３から表示部２に出力する。
【００２４】
次に、入力されるＢの入力レベルが５の場合には、第１のテーブル８において、入力レベルが５に対するＧの出力レベルＧｏは１８となっているので、このＧｏの出力レベルの１８から、図８の第２のテーブル９を用いて、Ｂｏを求めようとする。しかし、第２のテーブル９には、Ｇｏとして１８が非存在状態であるので計算部７を用いて、Ｂｏを算出することとする。具体的には、図８の第２のテーブル９においては、Ｇｏとして、１６と２０が存在するので、図７の第１のテーブル８のＧｏが１８であるから、計算部７においては、第２のテーブル９のＧｏの１６と２０の間と判定し、この判定に基づき第２のテーブル９のＢｏが８と１０の間、つまり９をＢｏの値として算出し、これを制御部３から表示部２に出力する。
【００２５】
そして制御部３から以上のようなＲｏが４、Ｇｏが８、Ｂｏが９の出力レベルで出力され、これに基づいて表示部２においては設定されたホワイトバランスに対応した色合いで入力信号が映像表示されることになる。
【００２６】
上述のようなテーブル構成にすることで、従来の場合は、Ｒ、Ｇ、Ｂ、それぞれにおいて、第1のテーブルが、設定されるホワイトバランスの種類とガンマの種類の組み合わせの数で設けられていたが、本発明の実施の形態では、Ｇのみ第1のテーブルが、設定されるホワイトバランスの種類とガンマの種類の組み合わせの数で設けられ、第２のテーブルが、設定されるホワイトバランスの種類の数だけ設けられるので、テーブルに使用される記憶容量を従来に比較して、極めて小さくすることが可能となる。
【００２７】
以上の第１、第２のテーブル８、９の設定は生産工程において、各映像表示装置ごとに設定されており、この設定によって、複数の映像表示装置間のホワイトバランスがばらつくのを防止している。
【００２８】
また、経時変化については第１、第２のテーブル８、９の再設定を行うことで容易に修復することができる。
【産業上の利用可能性】
【００２９】
以上のように本発明は、本体ケースと、この本体ケースに設けられた入力端子と、この入力端子に接続された入力信号部と、この入力信号部に接続された制御部と、この制御部に接続された表示部とを備え、前記制御部には、前記表示部におけるホワイトバランスを設定するホワイトバランスデータを記録した記録部を接続し、この記録部は、前記入力信号部から制御部に入力されるＧの入力レベルに対応するＧの出力レベルを設定した第１のテーブルと、前記入力信号部から制御部に入力されるＲとＢの入力レベルを、第１のテーブルのＧの入力レベルに対応させた時に得られるＧの出力レベルを基に、ＲとＢの出力レベルを設定した第２のテーブルとを有する構成としたものであるので、記憶容量を小さくすることができる。
【００３０】
すなわち、本発明においては、前記記録部には、前記入力信号部から制御部に入力されるＧの入力レベルに対応するＧの出力レベルを設定した第１のテーブルと、前記入力信号部から制御部に入力されるＲとＢの入力レベルを、第１のテーブルのＧの入力レベルに対応させた時に得られるＧの出力レベルを基に、ＲとＢの出力レベルを設定した第２のテーブルとを有する構成としたものであるので、従来のごとく、Ｒ、Ｇ、Ｂ、それぞれにきめ細かいテーブルを多く準備していた物に比べ、その記憶容量を極めて小さくすることができるものである。
【００３１】
したがって、例えば、医療用の映像表示装置として、広く活用が期待されるものである。
【符号の説明】
【００３２】
１  本体ケース
２  表示部
３  制御部
４  入力信号部
５  設定部
６  記録部
７  計算部
８  テーブル
９  テーブル
【図１】
2011043539.tif 000003
【図２】
2011043539.tif 000004
【図３】
2011043539.tif 000005
【図４】
2011043539.tif 000006
【図５】
2011043539.tif 000007
【図６】
2011043539.tif 000008
【図７】
2011043539.tif 000009
【図８】
2011043539.tif 000010